(57)【特許請求の範囲】
【請求項１】
音源からの音に基づいた振動を発生させる振動体と、
振動体の振動を伝達する振動伝達体と、を備え、
振動伝達体に触れることで、音源からの音を振動によって体感する音体感装置であって、
振動伝達体は、
内部に空気が充填されて膨張した膨張部材からなり、中空部を有する筒状に形成された第一振動伝達体と、
内部に空気が充填されて膨張した膨張部材からなり、第一振動伝達体の中空部内に挿入された挿入部分と、第一振動伝達体の中空部内から突出した突出部分と、を有する第二振動伝達体と、
第一振動伝達体と第二振動伝達体とを互いに圧接させるように連結する連結体と、
内部に空気が充填されて膨張した膨張部材からなり、振動体に圧接した状態で第一振動伝達体の中空部内に収納された第三振動伝達体と、
を備え、
第二振動伝達体の挿入部分は、第一振動伝達体に圧接しており、
第三振動伝達体は、第一振動伝達体と第二振動伝達体の挿入部分とに圧接しており、
振動体の振動は、第三振動伝達体を介して、第一振動伝達体と第二振動伝達体とに伝達されるよう構成されていることを特徴とする音体感装置。
【発明の詳細な説明】
【技術分野】
【０００１】
本発明は、音源からの音を振動によって体感する音体感装置に関する。
【背景技術】
【０００２】
従来、特許文献１に開示されているように、ＣＤプレイヤ等の音楽再生装置からの音楽信号に基づいた振動を発生する振動体を装着することによって、聴覚障がい者であっても音楽を振動によって体感することが可能な音体感装置が知られている。
【先行技術文献】
【特許文献】
【０００３】
【特許文献１】特開２０１９−１２５９０６号
【発明の概要】
【発明が解決しようとする課題】
【０００４】
しかしながら、上述の音体感装置においては、体の一部に装着した振動体の振動を感じることで音楽を体感するものであり、その装着部分でしか振動を感じることができないため、音楽を体感するにあたりその興趣性に乏しいという問題があった。
【０００５】
本発明は、上述した事情に鑑み、興趣性の向上を図ることができる音体感装置を提供することを目的とする。
【課題を解決するための手段】
【０００６】
本発明の音体感装置は、
音源からの音に基づいた振動を発生させる振動体と、
振動体の振動を伝達する振動伝達体と、を備え、
振動伝達体に触れることで、音源からの音を振動によって体感する音体感装置であって、
振動伝達体は、
内部に空気が充填されて膨張した膨張部材からなり、中空部を有する筒状に形成された第一振動伝達体と、
内部に空気が充填されて膨張した膨張部材からなり、第一振動伝達体の中空部内に挿入された挿入部分と、第一振動伝達体の中空部内から突出した突出部分と、を有する第二振動伝達体と、
第一振動伝達体と第二振動伝達体とを互いに圧接させるように連結する連結体と、
内部に空気が充填されて膨張した膨張部材からなり、振動体に圧接した状態で第一振動伝達体の中空部内に収納された第三振動伝達体と、
を備え、
第二振動伝達体の挿入部分は、第一振動伝達体に圧接しており、
第三振動伝達体は、第一振動伝達体と第二振動伝達体の挿入部分とに圧接しており、
振動体の振動は、第三振動伝達体を介して、第一振動伝達体と第二振動伝達体とに伝達されるよう構成されていることを特徴とする音体感装置である。
【発明の効果】
【０００７】
本発明に係る音体感装置によれば、興趣性の向上を図ることができる。
【図面の簡単な説明】
【０００８】
【図１】本発明の実施形態における音体感装置を示す斜視図である。
【図２】本発明の実施形態における音体感装置を示す正面図である。
【図３】本発明の実施形態における音体感装置を示す側面図である。
【図４】本発明の実施形態における音体感装置を示す分解斜視図である。
【図５】本発明の実施形態における音体感装置の内部構造を説明するための斜視図である。
【図６】本発明の実施形態における音体感装置の底面図である。
【発明を実施するための形態】
【０００９】
以下、図１〜図６を参照しながら本発明の実施形態を説明する。図１に示すように、音を振動によって体感させる音体感装置１は、制御部Ｃを介して音源Ｇに接続されている。音源Ｇとしては、例えば、楽器の作る振動を電気信号として取り出すことで音声を出力する電気楽器、電子回路によって所定の波形信号を作り出す電子楽器、ＣＤプレイヤといった音響再生装置等というように、音を電気信号に変換して出力するものを適用することができる。また、制御部Ｃは、例えば、音源Ｇからの音を増幅するアンプや、複数の音声の調整や操作を行うミキサー等の音信号経路や、外部から操作可能な操作部等を有しており、操作部を操作することで、音源Ｇからの音についての音程、音量、音色等の制御や、後述する振動体３の振動の強弱等の制御を行えるようになっている。次に、音体感装置１の各種構造について説明するが、その説明にあたり、説明の便宜上、音源Ｇとして、内蔵したピックアップによって弦の振動を電気信号に変換可能なエレキギターを例にとって説明することとする。
【００１０】
音体感装置１は、図１および図４に示すように、音源Ｇであるエレキギターからの音に基づいた振動を発生させる振動体３と、この振動体３の振動を伝達する振動伝達体５とを備えている。
【００１１】
振動体３は、円盤状に形成されている。また、振動体３は、そのハーネス３ａによって制御部Ｃに電気的に接続されており、エレキギターからの音に基づいた電気信号が制御部Ｃを介して出力されることで、エレキギターの音に基づいた振動を発生させるようになっている。なお、本実施形態では、振動体３は円盤状に形成されているが、例えば、球体状であったり、あるいは、箱状であったりしてよい。要は、振動体３については、エレキギターからの音に基づいた振動を発生可能なものであればよく、その形状や仕様については適宜のものを選択可能であることは言うまでもない。
【００１２】
振動伝達体５は、第一振動伝達体７と、第二振動伝達体９と、連結体１１と、第三振動伝達体１３とを有しており、これらの第一乃至第三振動伝達体７、９、１３および連結体１１によって音源Ｇであるエレキギターの形状を模している。第一乃至第三振動伝達体７、９、１３および連結体１１はそれぞれ、内部に空気が充填（供給）されることで棒状に膨張した伸縮自在な膨張部材である風船からなっている。本実施形態では、振動伝達体５を形成するために、互いに同一形状の複数の風船を用いおり、例えば、いわゆるバルーンアートに用いられる細長い紐状の風船（内部に空気を充填することで棒状に膨張する）を用いている。このように、振動伝達体５を形成するために、互いに同一形状の複数の風船を用意するだけで済み、振動伝達体５の製造をするための準備が容易である。また、伸縮自在な風船を膨張させた状態で用いているため、第一振動伝達体７と、第二振動伝達体９と、連結体１１と、第三振動伝達体１３とを互いに容易に圧接させることができる。この結果、接触不足による振動の伝達の阻害を防止することができ、振動伝達効率の向上を図ることができる。なお、同一形状の複数の風船のみを用いるのではなく、互いに、形状が異なる複数の風船を用いるようにしてもよい。
【００１３】
図１乃至図４に示すように、第一振動伝達体７は、エレキギターのボディ部分を模しており、中空部Ｓを有する筒状に形成されている。第一振動伝達体７は、互いに圧接して隣接するように上下に並んだ円環状の円環部７Ａ乃至７Ｈと、これらの円環部７Ａ乃至７Ｈの間でかつ音体感装置１の両側面側にそれぞれ位置した球状の球体部８Ａ乃至８Ｇとを有している。なお、球体部８Ａ乃至８Ｇについても、振動体３からの振動が伝達されるのであり、この観点で、球体部８Ａ乃至８Ｇについては、第四振動伝達体として捉えることも可能である。
【００１４】
円環部７Ａは、次のようにして形成される。すなわち、風船を膨張する際に、風船の先端部分を指でつまんで空気が充填されないようにした状態（以後、風船において空気が充填されていない部分を「非充填部」と言うこともある。また、非充填部が複数ある場合には区分けのため、第一、第二といった識別子を付与することもある。）にした上で、内部に空気を充填して風船の中間部分を所定長さとなるまで膨張させた（以後、風船において空気が充填されている部分を「充填部」と言うこともある。また、充填部が複数ある場合には区分けのため、第一、第二といった識別子を付与することもある。）後、非充填部である先端部分と充填部である中間部分との間、およびこの中間部分と非充填部である後端部分（細長い紐状の風船の開口側の端部分）とをそれぞれ捩じった上で止め結び等することで、第一振動伝達体７の表面の一部を形成する表側膨張体７ａ１を得る。次に、第一振動伝達体７の裏面の一部を形成する裏側膨張体７ａ２を、表側膨張体７ａ１と同様にして得る。次に、表側膨張体７ａ１の先端部分と裏側膨張体７ａ２の先端部分とを結びつけ、表側膨張体７ａ１の後端部分と裏側膨張体７ａ２の後端部分とを結びつけることによって、円環状に形成された円環部７Ａを得る。
【００１５】
また、円環部７Ｂ乃至７Ｈについても、円環部７Ａと同様にして得る（なお、図１等において、図の煩雑化を回避するため、円環部７Ｂ乃至７Ｈを構成する表側膨張体および裏側膨張体の符号の付与は省略する）。本実施形態では、円環部７Ａは、第一振動伝達体７の最も上の部分を構成し、円環部７Ｈは、第一振動伝達体７の最も下の部分を構成する。また、図２に示すように、最も上の円環部７Ａの長さ（図２で見て左右方向の長さ）よりも、この直下に位置する円環部７Ｂの長さの方が長くなるというように、円環部７Ａ乃至７Ｈにおいては、下の円環部ほどその長さが長くなるよう構成されている。換言すれば、最も上の円環部７Ａの長さが一番短く、最も下の円環部７Ｈの長さが一番長くなるようになっており、第一振動伝達体７は正面視で略台形状をなしている。なお、第一振動伝達体７の形状は、この台形状に限定されず、適宜の形状を適用可能であることは言うまでもない。
【００１６】
このように、円環部７Ａ乃至７Ｈのそれぞれの長さが異なるようにすることで、振動体３からの振動を伝達される際において、高音に対応した振動（相対的に時間当たりの振動回数が多い）については、円環部７Ａ乃至７Ｈのうち、その長さが相対的に短い円環部の方が響きやすく（例えば、円環部７Ｈよりも円環部７Ａの方が響きやすい）することができる一方、低音に対応した振動（相対的に時間当たりの振動回数が多い）はその長さが相対的に長いほど響きやすく（例えば、円環部７Ａよりも円環部７Ｈの方が響きやすい）することができる。また、本実施形態では、第一振動伝達体７の円環部７Ａ乃至７Ｈは、その上の円環部７Ａから下の円環部７Ｈに向かうほど、その長さが段階的に長くなるようにしているので、第一振動伝達体７の上部ほど高音が響きやすく、第一振動伝達体７の下部ほど低音が響きやすくなっているため、第一振動伝達体７に触れた使用者から見て、演奏中のエレキギターにおいて、高音が出ているのか、低音が出ているのかの区別がしやすくなる。
【００１７】
次に、音体感装置１の両側面側にそれぞれ位置した一対の球体部８Ａ乃至８Ｇについて説明するが、一対の球体部８Ａ乃至８Ｇはそれぞれ同様な構成をなしているため、一方の球体部８Ａ乃至８Ｇ（図２において右側の球体部８Ａ乃至８Ｇ）のみ説明し、他方の球体部８Ａ乃至８Ｇ（図２において左側の球体部８Ａ乃至８Ｇ）の説明は省略する。
【００１８】
球体部８Ａは、風船を膨張する際に、風船の先端部分を非充填部とし、風船の中間部分を球形状に膨張させた充填部とし、この中間部以降の後端部分を非充填部とした後、先端部分と中間部分との間、および中間部分と後端部分との間を止め結びすることで得られる。この球体部８Ａの先端部分は、図１および図３に示すように、円環部７Ａにおいて互いに結びつけられた表側膨張体７ａ１の先端部分と裏側膨張体７ｂ１の先端部分との間に結びつけられた連結部Ｍ１とされ、球体部８Ａの後端部分は、円環部８Ｂにおいて互いに結びつけられた表側膨張体７ａ１の後端部分と裏側膨張体７ｂ１の後端部分との間に結び付けられた連結部Ｍ２とされて、球体部８Ａは、第一振動伝達体７の両側面側において、互いに上下に隣接する円環部７Ａおよび７Ｂを互いに圧接するように連結している。
【００１９】
他の球体部８Ｃ乃至８Ｇも球体部８Ａおよび８Ｂと同様にして構成されている。すなわち、図３に示すように、球体部８Ｂは、その先端部分と球体部８Ａの後端部分とで連結部Ｍ２を構成し、その後端部分と球体部８Ｃの先端部分とで連結部Ｍ３を構成しており、これらの連結部Ｍ２およびＭ３によって、互いに上下に隣接する円環部７Ｂおよび７Ｃが互いに圧接するように連結されている。また、球体部８Ｃは、その先端部分と球体部８Ｂの後端部分とで連結部Ｍ３を構成し、その後端部分と球体部８Ｄの先端部分とで連結部Ｍ４を構成しており、これらの連結部Ｍ３およびＭ４によって、互いに上下に隣接する円環部７Ｃおよび７Ｄが互いに圧接するように連結されている。
【００２０】
球体部８Ｄは、その先端部分と球体部８Ｃの後端部分とで連結部Ｍ４を構成し、その後端部分と球体部８Ｅの先端部分とで連結部Ｍ５を構成しており、これらの連結部Ｍ４およびＭ５によって、互いに上下に隣接する円環部７Ｄおよび７Ｅが互いに圧接するように連結されている。また、球体部８Ｅは、その先端部分と球体部８Ｄの後端部分とで連結部Ｍ５を構成し、その後端部分と球体部８Ｅの先端部分とで連結部Ｍ６を構成しており、これらの連結部Ｍ５およびＭ６によって、互いに上下に隣接する円環部７Ｅおよび７Ｆが互いに圧接するように連結されている。
【００２１】
球体部８Ｆは、その先端部分と球体部８Ｅの後端部分とで連結部Ｍ６を構成し、その後端部分と球体部８Ｇの先端部分とで連結部Ｍ７を構成しており、これらの連結部Ｍ６およびＭ７によって、互いに上下に隣接する円環部７Ｆおよび７Ｇが互いに圧接するように連結されている。また、球体部８Ｇは、その先端部分と球体部８Ｆの後端部分とで連結部Ｍ７を構成し、その後端部分は、円環部７Ｈにおいて互いに結びつけられた表側膨張体７ｈ１の先端部分と裏側膨張体７ｈ２の先端部分との間に結びつけられた連結部Ｍ８を構成しており、これらの連結部Ｍ７およびＭ８によって、互いに上下に隣接する円環部７Ｇおよび７Ｈが互いに圧接するように連結されている。
【００２２】
このように、球体部８Ａ乃至８Ｇを設けることにより、互いに隣接する円環部７Ａ乃至７Ｈ同士をより一層圧接させることができ、振動伝達効率の向上をより一層図ることができる。
【００２３】
第二振動伝達体９は、図１および図４に示すように、エレキギターのヘッド部分およびネック部分を模しており、一つの風船から構成されている。第二振動伝達体９は、風船をその先端（図４において下端）から後端部（図４において上端部）に至るまで膨張させた棒状の棒状部９Ａと、風船の後端部における複数の個所を捩じったり、折り曲げたり、折り曲げ部分同士を編み込んだりする等の加工を行うことでエレキギターのヘッド部分を模したヘッド意匠部９Ｂとを有している。
【００２４】
第二振動伝達体９の棒状部９Ａは、図４および図５に示すように、第一振動伝達体７の中空部Ｓのうち、一方の開口（図４および図５で見て上の開口）から中空部Ｓ内に圧入（挿入）される挿入部分９ａと、この中空部Ｓから突出した突出部分９ｂとを有している。すなわち、棒状部９Ａのうちの突出部分９ｂが、見た目上において、エレキギターのネック部分となっている。また、棒状部９Ａの挿入部分９ａは、中空部Ｓ内に圧入されることによって、第一振動伝達体７に圧接するようになっている。なお、中空部Ｓ内において、挿入部分９ａの長さは、挿入部分の先端部が、中空部Ｓの他方の開口（図４および図５で見て上の開口。図６参照。）寄りの個所にまで延びる程度に設定されているが、これに限定されず、仕様に応じて、挿入部分９ａの長さを適宜設定可能であることは言うまでもない。
【００２５】
連結体１１は、図１に示すように、円環部７Ｂと円環部７Ｃの間に位置する上の連結体１１と、円環部７Ｅと円環部７Ｆとの間に位置する下の連結体１１との２つが設けられているが、これらは互いに同一の構成をなしているため、上の連結体１１（以後、単に「連結体１１」と言う。）のみ説明し、下の連結体１１については、その説明を省略する。
【００２６】
連結体１１は、図４に示すように、一つの風船から構成されており、この風船の先端から順に、第一充填部１１ａ、第一非充填部１１ｂ、第一充填部１１ａよりも長い第二充填部１１ｃ、第二非充填部１１ｄ、第二充填部１１ｃよりも太く形成された第三充填部１１ｅ、第三非充填部１１ｆ、第二充填部１１ｃと同様な第四充填部１１ｇ、および風船の開口部（風船の後端部）でもある第四非充填部１１ｈから構成されている。第一乃至第四非充填部１１ｂ、１１ｄ、１１ｆ、１１ｈは、第一乃至第四充填部１１ａ、１１ｃ、１１ｅ、１１ｇ内の空気が吐出しないように止め結び等の処理を施されている。なお、本実施形態の第二充填部１１ｃおよび第四充填部１１ｇは、空気が充填された充填部であるが、これに代えて、空気が充填されていない非充填部とするようにしても良い。
【００２７】
第三充填部１１ｅは、第一振動伝達体７の外側に位置しつつ第一振動伝達体７に圧接した外側部分１１Ｋとされているとともに、見た目上において、エレキギターのピックアップ部分（特に上の連結体１１）やブリッジ部分（特に、下の連結体１１）を模している。また、第一充填部１１ａ、第二および第四充填部１１ｃ、１１ｇ、第一非充填部１１ｂは、円環部７Ｂと円環部７Ｃの間から中空部Ｓ内に圧入されている内側部分１１Ｕとされている。この内側部分１１Ｕは、図５に示すように、第三充填部１１ｅとの間に、第一振動伝達体７の円環部７Ｂおよび円環部７Ｃと、第二振動伝達体９の挿入部分９ａとを介在させるようにして、これらを括りつけて連結している。すなわち、連結体１１は、第一振動伝達体７と第二振動伝達体９とが互いに圧接するように連結しているといえる。また、連結体１１における第二および第四充填部１１ｃ、１１ｇは、第一振動伝達体７の円環部７Ｂおよび円環部７Ｃと、第二振動伝達体９の挿入部分９ａとに圧接している。換言すれば、連結体１１も振動体３からの振動が伝達されるようになっているものであり、この観点で、連結体１１については、振動体３からの振動を伝達する第５振動伝達体として捉えることも可能である。
【００２８】
このように、第一振動伝達体７の外側に位置した第三充填部１１ｅと、第一振動伝達体７の中空部Ｓ内に位置しかつ第三充填部１１ｅとの間に第一振動伝達体７および第二振動伝達体９を介在させた第二および第四充填部１１ｃ、１１ｇと、を有し、第一振動伝達体７および第二振動伝達体９を括り付けて連結する連結体１１を設けることにより、第一振動伝達体７および第二振動伝達体９をより一層圧接させることができ、振動伝達効率の向上をより一層図ることができる。また、連結体１１は、第一振動伝達体７の上下に互いに間隔をおいて２か所に設けられているので、振動伝達効率を向上させることができるとともに、第一振動伝達体７および第二振動伝達体９を安定して固定することができる。また、連結体１１が、エレキギターのピックアップ部分やブリッジ部分を模しているため、ボディ部分を模した第一振動伝達体７やネック部分やヘッド部分を模した第二振動伝達体９とともに、よりリアルなエレキギターの外観を模すことができ、意匠性の向上を図ることができる。
【００２９】
第三振動伝達体１３は、図４に示すように、風船の先端部分を非充填部とし、風船の中間部分を充填部とし、風船の後端部分を非充填部とし、風船の先端部分および後端部分をそれぞれ捩じった上で止め結びした一方の振動伝達部１３Ａと、この一方の振動伝達部１３Ａと同様にして構成された他方の振動伝達部１３Ｂとを有している。第三振動伝達体１３は、その一方の振動伝達部１３Ａの先端部分と他方の振動伝達部１３Ｂの先端部分とを止め結びし、その一方の振動伝達部１３Ａの後端部分と他方の振動伝達部１３Ｂの後端部分とを止め結びすることで、ドーナッツのような円環状に形成されている。この円環状の第三振動伝達体１３の中空部は、振動体３が圧入された圧入部Ｘとされている。第三振動伝達体１３は、その圧入部Ｘに振動体３が圧入された状態（換言すれば、第三振動伝達体１３が振動体３と圧接した状態）で、第一振動伝達体７の中空部Ｓのうち、他方の開口（図４でみて下の開口。図６で示す開口。）から中空部Ｓ内に圧入されて、第一振動伝達体７の中空部Ｓ内に収納されるようになっている。
【００３０】
第三振動伝達体１３は、第一振動伝達体７の中空部Ｓ内に収納されている状態においては、図５および図６に示すように、正面視で第二振動伝達体９の挿入部分９ａの左側でかつ上下の連結体１１の間（換言すれば、円環部７Ｃと円環部７Ｅとの間）に位置している。この状態で、第三振動伝達体１３は、第一振動伝達体７における円環部７Ｃ乃至７Ｅの少なくとも一つと、第二振動伝達体９の挿入部分９ａと、連結体１１の第二および第四充填部１１ｃ、１１ｇとにそれぞれ圧接している。これにより、振動体３の振動は、第三振動伝達体１３を介して、第一および第二振動伝達体７、９と連結体１１とに伝達されるようになっている。なお、中空部Ｓ内における第三振動伝達体１３の配置位置は、上述の位置に限定されず、第一および第二振動伝達体７、９と連結体１１とのそれぞれに圧接可能であれば、中空部内のどこに配置されていてもよいことは言うまでもない。
【００３１】
上述した構成の音体感装置１は、例えば、音楽のライブやコンサートにて用いられる。音楽のライブやコンサートの観客が、エレキギターを模した音体感装置１をあたかも演奏するかのように抱きかかえることで、演奏中のエレキギターの音に基づいて振動している振動体３の振動が、第三振動伝達体１３を介して、第一および第二振動伝達体７、９と連結体１１とに伝達される。これにより、音体感装置１を抱きかかえる観客は演奏中のエレキギターの音を振動により体感する。
【００３２】
以上説明したように、本実施形態の音体感装置１は、演奏中のエレキギターの形状を模しているため、ライブやコンサートに参加しているかのような一体感を得ることができるとともに、振動体３からの振動が第三振動伝達体１３を介して第一および第二振動伝達体７、９と連結体１１とに伝達されるようになっているため、従来における振動体の装着部分でしか振動を感じることができないものに比して、より広範囲で音の振動を体感することができる。
【００３３】
具体的には、エレキギターの形状を模した音体感装置１において、エレキギターのネック部分を模した第二振動伝達体９の突出部分９ｂを左手で持ち、エレキギターのボディ部分を模した第一振動伝達体７を胸などに密着させ、ピックアップ部分やブリッジ部分を模した連結体１１を右手で触った状態とした場合、上半身の略全体で振動を体感することができる。しかも、これらの第一および第二振動伝達体７、９と連結体１１とは、互いに形状や大きさが異なるため、同じ音に対応する振動であっても、それぞれの振動伝達体７、９、および連結体１１によって異なる固有の振動を発生させることができ、接触箇所に応じた異なる振動を楽しむことができる。これらの結果、興趣性の向上を図ることができる。
【００３４】
また、本実施形態の音体感装置１の空気が充填された風船からなる振動伝達体５は、外部の音に対しても共鳴しやすいので、その内部に収納された振動体３からの振動（内部からの振動）のみならず、ライブやコンサート会場に設置されたスピーカーからの音に共鳴して振動（外部からの振動）することにより、演奏中のエレキギターの音に基づく振動でありながらも、より変化に富む振動を体感させることができる。しかも、上述のように、第一振動伝達体７の上の部分ほど高音が響きやすく、下の部分ほど低音が響きやすくなっているため、第一振動伝達体７に触れているだけで、演奏中のエレキギターの音の高低を容易に区別することができるので、演奏中のエレキギターからの音に対し、聴覚による音の高低のみならず、振動による音の高低も体感することができる。特に、聴覚障がい者であっても、今演奏中のエレキギターから出ている音が高音なのか低音なのかをリアルタイムで容易に判別することができるので、ライブやコンサートを楽しむことができる。
【００３５】
さらに、本実施形態の音体感装置１は、振動体３からの振動を使用者に直接伝達するのではなく、振動体３からの振動を第三振動伝達体１３に伝達させた後、第一および第二振動伝達体７、９と連結体１１とを介して間接的に伝達させるようになっているため、振動体３からの振動が強くても、第一乃至第三振動伝達体７、９、１３および連結体１１によって緩和されて適度な振動を使用者に与えることができる。
【００３６】
本発明は、上述した実施形態に限定されず、その要旨を逸脱しない範囲内において種々の変形が可能である。
【００３７】
本実施形態では、第一振動伝達体７を、複数の風船からなる円環部７Ａ乃至７Ｈにて構成したが、これに代えて、筒状に形成された単一の風船を膨張させたものを第一振動伝達体７とするようにしてもよい。また、本実施形態では、円環部７Ａを棒状に膨張させた２つの風船を結びつけることによって形成したが、これに代えて、棒状に膨張させた風船の両端部を結びつけることによって円環部７Ａを構成するようにしてもよい。また、本実施形態では、第三振動伝達体１３を二つの風船から構成したが、単一の風船によって第三振動伝達体１３を構成してもよい。要は、第一乃至第三振動伝達体７、９、１１、１３を形成するのにあたり、用いる風船の数、大きさ、形状については特に限定されず、適宜の数、大きさ、形状の風船を用いることが可能ということである。また、第一振動伝達体７として、球体部８Ａ乃至８Ｇを設けないようにしたものであってもよい。
【００３８】
本実施形態では、２つの連結体１１を用いているが、これに代えて、単一の連結体１１を用いたり、あるいは、３つ以上の振動伝達体１１を用いたりするようにしても良い。これについては、第一振動伝達体７、第二振動伝達体９、第三振動伝達体１３についても同様のことが言える。例えば、第一振動伝達体７であれば、これを二つ設けて、互いに連結するようにしてもよいし、第二振動伝達体９を複数設けて、それぞれの第二振動伝達体９の挿入部９ａを第一振動伝達体７の中空部Ｓに挿入する（見た目上、ネック部分が複数あるエレキギターの形状）ようにしたりしてもよい。さらに、本実施形態では、音源Ｇからの音に基づいた振動を発生させる振動体３を一つ設け、この振動体３に圧接した状態で中空部Ｓ内に収納される第三振動伝達体１３を一つ設ける構成になっているが、これに代えて、振動体３が圧入された第三振動伝達体１３を２つ設けて、中空部Ｓ内において、これら２つの第三振動伝達体１３を図５で見て挿入部分９ａの左右にそれぞれ配置するようにしても良い。
【００３９】
本実施形態では、連結体１１の内側部分１１Ｕにおいては、内部に空気が充填された充填部である第二および第四充填部１１ｃ、１１ｇを適用したが、これに代えて、これらの第二および第四充填部１１ｃ、１１ｇを非充填部として、連結体１１の内側部分１１Ｕが非充填部とするようにしてもよい。このようにすることで、内側部分１１Ｕが細長い紐状となるので、第一および第二振動伝達体７、９とをより一層連結しやすくすることができる。また、本実施形態では、連結体１１にも振動伝達体としての機能を持たすために、複数の充填部１１ｃ、１１ｇ、１１ｅを設けていたが、これらをすべて非充填部としても良い。このようにすると、連結体１１全体を細長い紐状と成し、連結体１１を第一および第二振動伝達体７、９の連結部材として特化させることができる。
【符号の説明】
【００４０】
１      音体感装置
３      振動体
５      振動伝達体
７      第一振動伝達体
９      第二振動伝達体
９ａ    挿入部分
９ｂ    突出部分
１１    連結体
１３    第三振動伝達体
【要約】      （修正有）【課題】興趣性の向上を図ることができる音体感装置を提供する。【解決手段】音体感装置１において、風船からなる筒状の第一振動伝達体７と、この第一振動伝達体７に一部が挿入された第二振動伝達体９と、これらの第一および第二振動伝達体７、９を互いに圧接するように連結する連結体１１と、第一振動伝達体７の中空部Ｓ内に圧入されて、音源からの音に基づいた振動を発生する振動体３からの振動を第一および第二振動伝達体７、９、に伝達する第三振動伝達体とを設けた。【選択図】図５【図１】
0006928926.tif 000002
【図２】
0006928926.tif 000003
【図３】
0006928926.tif 000004
【図４】
0006928926.tif 000005
【図５】
0006928926.tif 000006
【図６】
0006928926.tif 000007